(57)【特許請求の範囲】
【請求項１】
複数のセルによるオーバーレイ構成を用いてサービスを提供する基地局であって、
基地局の運用パラメータを更新する際に、当該運用パラメータがセル単位で変更可能な運用パラメータであるか否かを判断する運用パラメータ判断部と、
当該運用パラメータがセル単位で変更可能な運用パラメータであると判断された場合、更新対象のセルの電波を停止したとしてもオーバーレイ構成の別のセルで更新対象のセルに接続している移動機の少なくとも一部を救済できるか否かを判断するサービス継続確認部と、
前記サービス継続確認部における判断に基づいて、更新対象のセルの電波を停止又は更新対象のセルの送信電力を段階的に下げた後に電波を停止する送信電力制御部と、
運用パラメータを更新する運用パラメータ更新部と、
を有する基地局。
【請求項２】
前記サービス継続確認部は、更新対象のセルに接続している移動機のうち所定の割合の移動機を、オーバーレイ構成の別のセルに収容できるか否かを判断し、
更新対象のセルに接続している移動機のうち所定の割合の移動機を別のセルに収容できる場合、更新対象のセルに接続している移動機を別のセルにハンドオーバさせるハンドオーバ指示部を更に有する、請求項１に記載の基地局。
【請求項３】
前記送信電力制御部は、更新対象のセルに接続している移動機の数が所定の閾値を下回った場合、更新対象のセルの電波を停止する、請求項１に記載の基地局。
【請求項４】
更新対象のセルのアンテナのチルト角を段階的に減少させるアンテナ制御部を更に有し、
前記送信電力制御部は、更新対象のセルに接続している移動機の数が所定の閾値を下回った場合、更新対象のセルの電波を停止する、請求項１に記載の基地局。
【請求項５】
前記サービス継続確認部は、更新対象のセルのスループット、当該基地局の故障の有無又は日時に基づいて、運用パラメータを更新するか否かを更に判断する、請求項１乃至４のうちいずれか１項に記載の基地局。
【請求項６】
前記運用パラメータ更新部は、更新対象のセルの電波が停止した後に運用パラメータの更新用ファイルをメモリに書き込むことにより、運用パラメータを更新する、請求項１乃至５のうちいずれか１項に記載の基地局。
【請求項７】
複数のセルによるオーバーレイ構成を用いてサービスを提供する基地局における運用パラメータ更新方法であって、
基地局の運用パラメータを更新する際に、当該運用パラメータがセル単位で変更可能な運用パラメータであるか否かを判断するステップと、
当該運用パラメータがセル単位で変更可能な運用パラメータであると判断された場合、更新対象のセルの電波を停止したとしてもオーバーレイ構成の別のセルで更新対象のセルに接続している移動機の少なくとも一部を救済できるか否かを判断するステップと、
前記更新対象のセルの電波を停止したとしてもオーバーレイ構成の別のセルで更新対象のセルに接続している移動機の少なくとも一部を救済できるか否かの判断に基づいて、更新対象のセルの電波を停止又は更新対象のセルの送信電力を段階的に下げた後に電波を停止するステップと、
運用パラメータを更新するステップと、
を有する運用パラメータ更新方法。
【発明の詳細な説明】
【技術分野】
【０００１】
本発明は、基地局及び運用パラメータ更新方法に関する。
【背景技術】
【０００２】
基地局の運用パラメータ（設定内容）やネットワーク構成を変更する際、新たな設定内容を反映するためには基地局の再起動が必要となる。基地局の再起動は、当該基地局のセルのサービスを中断させ、ユーザー（移動機）の通信を中断する。
【０００３】
運用中に基地局を再起動せずに更新（オンライン更新）する方法が検討されているが、更新可能な運用パラメータは限定されている。例えば、基地局のパラメータとして、周辺セル情報のような報知情報を自律的に作成することが検討されている（非特許文献１参照）。その他に、基地局側の送信電力、基地局側のユーザー単位のデータ用バッファ量等は、運用中に基地局を再起動せずに更新可能である。
【０００４】
また、基地局の設置及び運用を自動化するＳＯＮ（Self Organizing Network）という技術も検討されているが、ＳＯＮにおいても設定可能な運用パラメータは限定されている。
【先行技術文献】
【特許文献】
【０００５】
【特許文献１】特開２００８−２３６７３０号公報
【発明の概要】
【発明が解決しようとする課題】
【０００６】
上記のように、運用中に基地局を再起動せずに更新する方法又はＳＯＮでは、更新可能な運用パラメータは限定されている。移動機は基地局のセルに在圏するときに、基地局から運用パラメータを通知されるが、このような運用パラメータをオンライン更新によって変更することはできない。
【０００７】
図１に、従来技術における基地局の運用パラメータを更新する方法を示す。図１には、セル１の帯域幅を５ＭＨｚから１０ＭＨｚに変更する例を示している。セル１の帯域幅のような運用パラメータを更新する場合、基地局は、１つのセルの運用パラメータを更新する場合であっても、基地局の動作を停止し（（Ａ）→（Ｂ））、運用パラメータを更新した後に再起動する必要がある（（Ｂ）→（Ｃ））。このため、全てのセルでサービス中断が発生する。
【０００８】
このように基地局の再起動が必要になった場合、当該基地局のセルのサービスが中断し、ユーザー（移動機）の通信が中断されるため望ましくない。
【０００９】
更に、基地局は複数のセルによって構成されることがあり（例えば、３セル構成又は６セル構成）、基地局の再起動は全てのセルのサービスを中断させることになる。今後は、高度化Ｃ−ＲＡＮ（Centralized Radio Access Network）やＣＡ（Carrier Aggregation）の対応のために多数のセルを収容可能な基地局が主流になる可能性があり、基地局の再起動による影響が大きくなることが想定される。
【００１０】
一方、ユーザーのトラヒックが増え、複数の周波数が利用可能になっているため、セルのオーバーレイ構成が設定可能になってきている。セルのオーバーレイとは、ほぼ同じエリアに複数のセルを設定することを示す。例えば、異なる周波数の電波を同じエリアに送信することにより、ほぼ同じエリアに複数のセルが形成される。
【００１１】
本発明は、このようなオーバーレイ構成を用いてサービスを提供する基地局の運用パラメータを更新する際に、ユーザーへの影響を軽減することを目的とする。
【課題を解決するための手段】
【００１２】
本発明の一形態による基地局は、
複数のセルによるオーバーレイ構成を用いてサービスを提供する基地局であって、
基地局の運用パラメータを更新する際に、当該運用パラメータがセル単位で変更可能な運用パラメータであるか否かを判断する運用パラメータ判断部と、
当該運用パラメータがセル単位で変更可能な運用パラメータであると判断された場合、更新対象のセルの電波を停止したとしてもオーバーレイ構成の別のセルで更新対象のセルに接続している移動機の少なくとも一部を救済できるか否かを判断するサービス継続確認部と、
前記サービス継続確認部における判断に基づいて、更新対象のセルの電波を停止又は更新対象のセルの送信電力を段階的に下げた後に電波を停止する送信電力制御部と、
運用パラメータを更新する運用パラメータ更新部と、
を有することを特徴とする。
【００１３】
また、本発明の一形態による運用パラメータ更新方法は、
複数のセルによるオーバーレイ構成を用いてサービスを提供する基地局における運用パラメータ更新方法であって、
基地局の運用パラメータを更新する際に、当該運用パラメータがセル単位で変更可能な運用パラメータであるか否かを判断するステップと、
当該運用パラメータがセル単位で変更可能な運用パラメータであると判断された場合、更新対象のセルの電波を停止したとしてもオーバーレイ構成の別のセルで更新対象のセルに接続している移動機の少なくとも一部を救済できるか否かを判断するステップと、
前記更新対象のセルの電波を停止したとしてもオーバーレイ構成の別のセルで更新対象のセルに接続している移動機の少なくとも一部を救済できるか否かの判断に基づいて、更新対象のセルの電波を停止又は更新対象のセルの送信電力を段階的に下げた後に電波を停止するステップと、
運用パラメータを更新するステップと、
を有することを特徴とする。
【発明の効果】
【００１４】
本発明によれば、オーバーレイ構成を用いてサービスを提供する基地局の運用パラメータを更新する際に、ユーザーへの影響を軽減することが可能になる。
【図面の簡単な説明】
【００１５】
【図１】従来技術における基地局の運用パラメータを更新する方法を示す概略図
【図２】本発明の実施例に係る基地局の運用パラメータを更新する方法を示す概略図
【図３】セルのオーバーレイ構成において、本発明の実施例に係る基地局の運用パラメータを更新する方法を示す概略図
【図４】本発明の実施例に係る基地局の構成図
【図５】セルのオーバーレイ構成における本発明の実施例に係る基地局の運用パラメータ更新方法のフローチャート
【図６】セルのオーバーレイ構成において、更新対象のセルのユーザーを救済できるか否かを判断する方法のフローチャート
【図７】セルのオーバーレイ構成における本発明の実施例に係る基地局の運用パラメータ更新方法のフローチャート
【発明を実施するための形態】
【００１６】
以下、図面に基づいて本発明の実施例について説明する。
【００１７】
本発明の実施例では、基地局においてセル単位で変更可能な運用パラメータを更新する場合について説明する。移動機は基地局のセルに在圏するときに、基地局から運用パラメータを通知される。基地局から移動機に通知される運用パラメータの中には、セル単位で変更可能な運用パラメータが含まれる。以下では、セル単位で変更可能な運用パラメータの更新に伴うサービス中断の影響を軽減する具体例について説明する。
【００１８】
図２に、本発明の実施例に係る基地局の運用パラメータを更新する方法を示す。図２には、セル１の帯域幅を５ＭＨｚから１０ＭＨｚに変更する例を示している。セルの帯域幅は、セル単位で変更可能な運用パラメータの一例である。セルの帯域幅のように移動機がセルに在圏するときに基地局から通知される運用パラメータを更新する必要がある場合、基地局において運用パラメータを更新しただけでは、基地局と移動機との通信ができなくなる。また、基地局は配下の移動機と継続的に通信で同期をとったり、パケット処理のためのスケジューリングを行っているため、移動機と共に変更する必要がある運用パラメータを更新する場合にも、基地局において運用パラメータを更新しただけでは、基地局と移動機との通信ができなくなる。このように、セル単位で変更可能な運用パラメータには、移動機が該当セルに在圏するときに移動機の動作に影響を及ぼす運用パラメータ、移動機と共に変更する必要がある運用パラメータ、セル（セクタ）としてオンラインで更新できない運用パラメータ等が含まれる。
【００１９】
本発明の実施例では、セル１の帯域幅を変更する場合、基地局は、セル１に関する機能部を停止又は段階的にセル１の送信電力を下げた後に停止し（（Ａ）→（Ｂ））、セル１の帯域幅を変更した後にセル１に関する機能部を再起動する（（Ｂ）→（Ｃ））。具体的には、セル１の帯域幅を変更するために、セル１の電波の送信を停止又は段階的にセル１の送信電力を下げた後に停止する。なお、セルの電波の停止は、該当セルの送信電力をゼロに設定することにより実現されてもよい。そして、セル１の新たな帯域幅１０ＭＨｚをメモリに書き込んでセル１の各機能部に反映させることにより、帯域幅の設定を更新する。その後、セル１の電波の送信を再開する。このとき、セル２及び３の電波の送信は停止しないため、セル２及び３ではサービスが中断されず、サービスへの影響を軽減することが可能になる。
【００２０】
図３に、セルのオーバーレイ構成において、本発明の実施例に係る基地局の運用パラメータを更新する方法を示す。図３に示す例では、３セクタ構成のそれぞれのセクタでオーバーレイ構成が設定されている。セクタとは１つのセルを角度で分割したものを示す。セクタは、セクタ・セルとも呼ばれように、セルの概念に含まれるものとする。
【００２１】
本発明の実施例では、セル単位で変更可能な運用パラメータを更新する際に、通信中のユーザー（例えば、セルｘに接続している移動機）をオーバーレイ構成の他セル（例えばセルｘ＋１）に誘導させ、パラメータを更新したいセルのユーザー数を０又は所定の閾値以下にする。ユーザー数が０又は所定の閾値を下回ったセルのみ、運用パラメータを更新する。この処理をオーバーレイ構成のセルについて順次行うことで、基地局全体の運用パラメータを更新する。
【００２２】
このように、オーバーレイ技術と必要最低限のセルのみの再起動とを組み合わせて、サービス中断を発生させずに運用パラメータを更新することが可能になる。
【００２３】
＜基地局の構成及び動作＞
次に、本発明の実施例に係る基地局の構成及び動作について説明する。本発明の実施例に係る基地局は、図３に示すように、複数のセルによるオーバーレイ構成を用いてサービスを提供するものと仮定する。
【００２４】
図４は、本発明の実施例に係る基地局の構成図である。本発明の実施例に係る基地局１０は、運用パラメータ判断部１０１と、サービス継続確認部１０２と、運用パラメータ更新部１０３と、ファイル記憶部１０５と、メモリ１０７と、ハンドオーバ指示部１０９と、送信電力制御部１１１と、アンテナ制御部１１３とを有する。
【００２５】
運用パラメータ判断部１０１は、基地局の運用パラメータを更新する際に、セルに関する機能部の再起動が必要であるか、基地局の再起動が必要であるかを判断する。運用パラメータがセル単位で変更可能な運用パラメータである場合には、運用パラメータ判断部１０１は、基地局の再起動は必要なく、セルに関する機能部の再起動により運用パラメータの更新が可能であると判断することができる。
【００２６】
サービス継続確認部１０２は、更新対象のセルの電波を停止したとしてもオーバーレイ構成の別のセルでサービスが継続可能か否かを判断する。例えば、サービス継続確認部１０２は、更新対象のセルに接続している移動機のうち所定の割合の移動機をオーバーレイ構成の別のセルに収容できるか否かを判断してもよい。
【００２７】
また、サービス継続確認部１０２は、更新対象のセルのスループット、基地局１０の故障の有無又は日時に基づいて、運用パラメータを更新するか否かを判断してもよい。例えば、セルのスループット（無線使用率）が閾値より高い場合には、サービス継続確認部１０２は、ユーザーへの影響を考慮して運用パラメータの更新を中止してもよい。例えば、基地局が故障している場合には、サービス継続確認部１０２は運用パラメータの更新を中止してもよい。例えば、特定の日時には、サービス継続確認部１０２は運用パラメータの更新を中止してもよく、夜間の混雑していない時間等に運用パラメータの更新が可能であると判断してもよい。
【００２８】
運用パラメータ更新部１０３は、基地局の運用パラメータを更新する。運用パラメータ判断部１０１がセルに関する機能部の再起動により運用パラメータの更新が可能であると判断した場合、運用パラメータ更新部１０３は、更新対象のセルの電波が停止してから、又は更新対象のセルの送信電力が段階的に下げられた後に電波が停止してから、運用パラメータを更新する。また、運用パラメータ判断部１０１が基地局の再起動が必要であると判断した場合、運用パラメータ更新部１０３は、全てのセルの電波が停止してから運用パラメータを更新する。セルのオーバーレイ構成においては、オーバーレイ構成の複数のセルの中から少なくとも１つのセルを順に選択し、サービス継続確認部１０２にて更新対象のセルの電波を停止したとしてもオーバーレイ構成の別のセルでサービスが継続可能であると判断した場合、運用パラメータ更新部１０３は、運用パラメータを更新してもよい。
【００２９】
運用パラメータの更新には、ファイル記憶部１０５及びメモリ１０７が用いられてもよい。ファイル記憶部１０５には、現用（更新前）の運用パラメータが書き込まれた現用ファイルが格納されている。運用パラメータを更新する際に、新たな運用パラメータが書き込まれた更新用ファイルがファイル記憶部１０５にアップロードされる。運用パラメータ更新部１０３は、電波が停止した後に更新用ファイルをメモリ１０７に書き込むことにより、運用パラメータを更新してもよい。運用パラメータの更新のために、更新用ファイルをメモリ１０７に書き込んだ後に必要な機能部（例えば、ベースバンド処理を行うプロセッサ等）が再起動されてもよい。或いは、メモリ１０７は、現用（更新前）の運用パラメータが書き込まれた現用メモリと、新たな運用パラメータが書き込まれたスタンバイメモリとで構成されてもよい。この場合、現用メモリからスタンバイメモリに切り替えることで運用パラメータが更新される。
【００３０】
ハンドオーバ指示部１０９は、運用パラメータを更新する対象のセルに接続している移動機を別のセルにハンドオーバさせる。ハンドオーバの指示を受けた移動機は、別のセルにハンドオーバし、完了報告を基地局１０に送信する。ハンドオーバ指示部１０９は、移動機から完了報告を受けてハンドオーバ後処理を行う。
【００３１】
送信電力制御部１１１は、運用パラメータを更新する対象のセルの送信電力を制御する。送信電力制御部１１１は、対象のセルの送信電力を段階的に下げることにより、移動機を別のセルにハンドオーバさせるように促すことができる。送信電力の減少により受信品質の低下を検出した移動機は、周辺のセルの受信品質を測定し、基地局１０に報告する。基地局１０のハンドオーバ指示部１０９は、移動機の受信品質の測定結果に基づいて移動機を別のセルにハンドオーバさせることができる。
【００３２】
アンテナ制御部１１３は、運用パラメータを更新する対象のセルのアンテナのチルト角を制御する。アンテナ制御部１１３は、対象のセルのアンテナのチルト角を段階的に減少させることにより、移動機を別のセルにハンドオーバさせるように促すことができる。アンテナのチルト角の減少により受信品質の低下を検出した移動機は、周辺のセルの受信品質を測定し、基地局１０に報告する。基地局１０のハンドオーバ指示部１０９は、移動機の受信品質の測定結果に基づいて移動機を別のセルにハンドオーバさせることができる。
【００３３】
セルのオーバーレイ構成において、通信中のユーザーを他セルに誘導させる手段として、例えば、以下の（１）〜（３）のいずれかの手段が用いられてもよい。
【００３４】
（１）更新対象のセルのユーザーをオーバーレイ構成の別のセルに強制的にハンドオーバさせる。
【００３５】
サービス継続確認部１０２は、更新対象のセルのユーザーを救済できるか、すなわち、更新対象のセルに接続している移動機をオーバーレイ構成の別のセルに収容できるか否かを判断し、収容できない場合には、運用パラメータの更新を中止してもよい。このときに閾値を用いた判断を行ってもよい。具体的には、サービス継続確認部１０２は、更新対象のセルに接続している移動機のうち所定の割合の移動機を、別のセルに収容できるか否かを判断してもよい。収容できる場合、ハンドオーバ指示部１０９は、更新対象のセルに接続している移動機を別のセルにハンドオーバさせてもよい。その後、送信電力制御部１１１は、更新対象のセルの電波を停止してもよい。一方、収容できない場合には、サービス継続判断部１０２は、運用パラメータの更新を中止してもよい。閾値は、セル毎に異なってもよい。例えば、重要なエリアでは全ての移動機が別のセルに収容可能であるかが判断されてもよく、通常のエリアでは８０％の移動機が別のセルに収容可能であるかが判断されてもよい。
【００３６】
（２）送信電力を制御することにより、更新対象のセルのユーザーをオーバーレイ構成の別のセルにハンドオーバさせるように促す。
【００３７】
送信電力制御部１１１は、対象のセルの送信電力を段階的に下げることにより、移動機をオーバーレイ構成の別のセルにハンドオーバさせるように促す。送信電力の減少により受信品質の低下を検出した移動機は、周辺のセルの受信品質を測定し、基地局１０に報告する。基地局１０のハンドオーバ指示部１０９は、移動機の受信品質の測定結果に基づいて移動機を別のセルにハンドオーバさせる。更新対象のセルに接続している移動機の数が所定の閾値を下回った場合、送信電力制御部１１１は更新対象のセルの電波を停止し、運用パラメータ更新部１０３は運用パラメータを更新してもよい。
【００３８】
（３）アンテナのチルト角を制御することにより、更新対象のセルのユーザーをオーバーレイ構成の別のセルにハンドオーバさせるように促す。
【００３９】
アンテナ制御部１１３は、対象のセルのアンテナのチルト角を段階的に減少させることにより、移動機をオーバーレイ構成の別のセルにハンドオーバさせるように促す。アンテナのチルト角の減少により受信品質の低下を検出した移動機は、周辺のセルの受信品質を測定し、基地局１０に報告する。基地局１０のハンドオーバ指示部１０９は、移動機の受信品質の測定結果に基づいて移動機を別のセルにハンドオーバさせる。更新対象のセルに接続している移動機の数が所定の閾値を下回った場合、送信電力制御部１１１は更新対象のセルの電波を停止し、運用パラメータ更新部１０３は運用パラメータを更新してもよい。
【００４０】
図５は、本発明の実施例に係る基地局の運用パラメータ更新方法のフローチャートである。
【００４１】
まず、サービス継続確認部１０２は、運用パラメータの更新に伴うユーザーへの影響を判断してもよい（ステップＳ２０１）。例えば、サービス継続確認部１０２は、更新対象のセルのスループット、基地局の故障の有無又は日時に基づいて、運用パラメータを更新するか否かを判断してもよい。
【００４２】
次に、運用パラメータ判断部１０１は、運用パラメータの種別に基づいて、基地局の再起動が必要であるか否かを判断する（ステップＳ２０３）。運用パラメータがセル単位で変更可能な運用パラメータである場合には、運用パラメータ判断部１０１は、基地局の再起動は必要なく、セルに関する機能部の再起動により運用パラメータの更新が可能であると判断する。
【００４３】
基地局の再起動が必要ない場合（ステップＳ２０３：ＮＯ）、すなわち、運用パラメータがセル単位で変更可能な運用パラメータである場合、サービス継続確認部１０２は、更新対象のセルのユーザーを救済できるか否かを判断する（ステップＳ２０４）。ステップＳ２０４における具体的な手順は、以下の図６を参照して更に説明する。
【００４４】
送信電力制御部１１１は、サービス継続確認部１０２におけるサービスの継続可能か否かの判断に基づいて、更新対象のセルの電波を停止又は更新対象のセルの送信電力を段階的に下げた後に停止し（ステップＳ２０５）、運用パラメータ更新部１０３が運用パラメータを更新する（ステップＳ２０９）。更新後、運用パラメータ更新部１０３は、更新対象のセルに関する機能部を再起動する。
【００４５】
一方、基地局の再起動が必要である場合（ステップＳ２０３：ＹＥＳ）、運用パラメータ更新部１０３は、基地局の動作を停止し（ステップＳ２０７）、運用パラメータを更新する（ステップＳ２０９）。更新後、運用パラメータ更新部１０３は、基地局を再起動する。
【００４６】
なお、図５では、（１）更新対象のセルのユーザーをオーバーレイ構成の別のセルに強制的にハンドオーバさせる場合又は（２）送信電力を制御することにより、更新対象のセルのユーザーをオーバーレイ構成の別のセルにハンドオーバさせる場合について説明している。（３）アンテナのチルト角を制御することにより、更新対象のセルのユーザーをオーバーレイ構成の別のセルにハンドオーバさせる場合には、ステップＳ２０５において、アンテナ制御部１１３は、対象のセルのアンテナのチルト角を段階的に減少させ、サービス継続確認部１０２におけるサービスの継続可能か否かの判断に基づいて、送信電力制御部１１１は、更新対象のセルの電波を停止する。
【００４７】
図６は、セルのオーバーレイ構成において、更新対象のセルのユーザーを救済できるか否かを判断する方法のフローチャートである。
【００４８】
ここで、運用パラメータを更新する対象のセルを「ｎ」とする。セル「ｎ」のユーザー数をＸとし（ステップＳ２４１）、ｎ＝ｎ＋１としたときのセル「ｎ」の収容空き数をＹとする（ステップＳ２４３、Ｓ２４５）。
【００４９】
次に、更新対象のセル「ｎ」のユーザー数Ｘと、他セル「ｎ＋１」の収容空き数Ｙとを比較する。Ｘ≦Ｙである場合（ステップＳ２４７：ＹＥＳ）、更新対象のセルの全てのユーザーが救済可能であると判断できる。
【００５０】
一方、Ｘ＞Ｙである場合（ステップＳ２４７：ＮＯ）、セルのエリアの重要度に合わせて、更新対象のセルのユーザーのうち、何割が救済可能であるかが判断されてもよい。具体的には、救済できないユーザーの割合をＺ＝（Ｘ−Ｙ）／Ｘ＊１００で求める（ステップＳ２４９）。Ｚ＜閾値である場合（ステップＳ２４９：ＹＥＳ）、運用パラメータを更新可能であると判断する。
【００５１】
Ｚ≧閾値である場合（ステップＳ２４９：ＮＯ）、オーバーレイ構成の更に別のセルも含めてユーザーを救済できるか否かを判断する。ここで、ｎ＝セルオーバーレイ数である場合（ステップＳ２５３：ＹＥＳ）、更新対象のセルのユーザーはオーバーレイ構成の全てのセルで救済できないため、運用パラメータの更新を中止する。
【００５２】
ｎ≠セルオーバーレイ数である場合（ステップＳ２５３：ＮＯ）、オーバーレイ構成の他セルの収容空き数も考慮し、収容空き数の合計が更新対象のセルのユーザー数以上となった場合に運用パラメータを更新可能であると判断する。具体的には、ｎ＝ｎ＋１として、Ｙ'＝Ｙ＋セル「ｎ」の収容空き数を計算する（ステップＳ２５５、Ｓ２５７）。Ｙ'をＹとして（ステップＳ２５９）、ＸとＹを比較する。Ｘ≦Ｙである場合（ステップＳ２６１：ＹＥＳ）、更新対象のセルの全てのユーザーが救済可能であると判断できる。
【００５３】
一方、Ｘ＞Ｙである場合（ステップＳ２６１：ＮＯ）、ステップＳ２４９に戻り、セルのエリアの重要度に合わせて、更新対象のセルのユーザーのうち、何割が救済可能であるかが判断されてもよい。
【００５４】
上記の手順が、ｎ＝セルオーバーレイ数になるまで繰り返される。
【００５５】
次に、セルのオーバーレイ構成の全てのセルの運用パラメータを更新する場合について説明する。図７は、セルのオーバーレイ構成における本発明の実施例に係る基地局の運用パラメータ更新方法のフローチャートである。
【００５６】
ステップＳ３０１及びＳ３０３は、図５のステップＳ２０１及びＳ２０３と同じである。
【００５７】
次に、ハンドオーバ指示部１０９による強制的なハンドオーバ、送信電力制御部１１１による送信電力の制御、又はアンテナ制御部１１３によるアンテナのチルト角の制御により、セル「ｎ」のユーザーをオーバーレイ構成の別のセルにハンドオーバさせる（ステップＳ３０４）。更新対象のセルに接続している移動機の数が所定の閾値を下回った場合、送信電力制御部１１１は更新対象のセルの電波を停止する。そして、運用パラメータ更新部１０３は更新対象のセルに関する機能部を停止し（ステップＳ３０５）、運用パラメータを更新する（ステップＳ３０９）。更新後、運用パラメータ更新部１０３は、更新対象のセルに関する機能部を再起動する。一方、基地局の再起動が必要である場合（ステップＳ３０３：ＹＥＳ）、運用パラメータ更新部１０３は、基地局の動作を停止し（ステップＳ３０７）、運用パラメータを更新する（ステップＳ３０８）。更新後、運用パラメータ更新部１０３は、基地局を再起動する。
【００５８】
オーバーレイ構成の全てのセルについて運用パラメータを更新する場合、ｎ＝ｎ＋１として（ステップＳ３１１）、ｎ＞セルオーバーレイ数になるまで（ステップ３１３：ＹＥＳ）、運用パラメータの更新（ステップＳ３０４、Ｓ３０５、Ｓ３０９）が繰り返される。
【００５９】
＜本発明の実施例の効果＞
以上の通り、本発明の実施例によれば、オーバーレイ構成を用いてサービスを提供する基地局の運用パラメータを更新する際に、ユーザーへの影響を軽減することが可能になる。具体的には、必要最小限のセルのサービスの中断により運用パラメータを更新することができ、運用パラメータを更新する必要のないセルにおいてサービスの中断を防ぐことが可能になる。そして、セルのオーバーレイ技術と必要最低限のセルのみの再起動とを組み合わせて、サービス中断を発生させずに運用パラメータを更新することが可能になる。具体的な手段として、基地局による強制的なハンドオーバ、送信電力を減少させることによるハンドオーバ、アンテナのチルト角を減少させることによるハンドオーバを用いることにより、ユーザーに意識させずに運用パラメータを更新することが可能になる。
【００６０】
更に、スループット、故障有無、日時等を考慮することにより、ユーザーへの影響を更に軽減することが可能になる。
【００６１】
また、運用パラメータの更新の際に、更新用ファイルをメモリに書き込んで必要な機能部を再起動することにより、現用メモリとスタンバイメモリとの２つを使用する必要がなくなり、ハードウェアコストを抑えることができる。
【００６２】
説明の便宜上、本発明の実施例に係る基地局は機能的なブロック図を用いて説明しているが、本発明の実施例に係る基地局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００６３】
以上、オーバーレイ構成を用いてサービスを提供する基地局の運用パラメータを更新する際に、ユーザーへの影響を軽減するための手法について説明したが、本発明は、上記の実施例に限定されることなく、特許請求の範囲内において、種々の変更・応用が可能である。
【符号の説明】
【００６４】
１０    基地局
１０１  運用パラメータ判断部
１０２  サービス継続確認部
１０３  運用パラメータ更新部
１０５  ファイル記憶部
１０７  メモリ
１０９  ハンドオーバ指示部
１１１  送信電力制御部
１１３  アンテナ制御部
【図１】
0006297943.tif 000002
【図２】
0006297943.tif 000003
【図３】
0006297943.tif 000004
【図４】
0006297943.tif 000005
【図５】
0006297943.tif 000006
【図６】
0006297943.tif 000007
【図７】
0006297943.tif 000008